(57)【特許請求の範囲】
【請求項１】
カードを挿入するカード挿入部と、
挿入された上記カードの記憶内容を読み取る読み取り部と、
前記カード挿入部及び前記読み取り部を収納するハウジングと、
当該ハウジングの底部に収納されたスタンドと、を備え、  
当該スタンドは、前記ハウジングの一端部及び前記カード挿入部の近傍にて、前記ハウジングの底部から突出するように回動可能に設けられ、前記スタンドの端部には、ほぼ前記ハウジングの他端部方向に延びる足部が設けられ、前記スタンドを突出させた状態にて前記カードリーダを平面に載置した際に、前記スタンドの足部の一部が直線状に上記平面に接触するカードリーダにおいて、
ほぼ直立する板状部材に前記カードリーダを取り付ける場合に、前記カードリーダは、前記スタンドが突出した状態にて前記スタンド本体部及び前記足部により上記板状部材に係り止めされることを特徴とするカードリーダ。
【請求項２】
請求項１記載のカードリーダにおいて、前記スタンドは、回動角度が段階的に調整可能に前記ハウジングに軸支されていることを特徴とするカードリーダ。
【請求項３】
請求項１記載のカードリーダにおいて、前記カード挿入部から上記カードが挿入されたことを検出する検出スイッチと、当該検出スイッチによる検出によって光るＬＥＤと、当該ＬＥＤからの光を導く導光板とを有し、当該導光板は、前記カード挿入部に対して前記ハウジングの底部と反対側のハウジング正面側に光を放出するように設けられていることを特徴とするカードリーダ。
【請求項４】
ＩＣカードを挿入するカード挿入部と、
挿入された上記カードと接触する接点コネクタと、
前記カード挿入部及び前記接点コネクタを収納するハウジングと、
当該ハウジングの底部に収納されたスタンドと、を備え、  前記接点コネクタを介して上記カードの記憶内容を読み取るＩＣカードリーダライタであって、
当該スタンドは、前記ハウジングの一端部及び前記カード挿入部の近傍にて、前記ハウジングの底部から突出するように回動可能に設けられ、前記スタンドの端部には、ほぼ前記ハウジングの他端部方向に延びる足部が設けられ、前記スタンドを突出させた状態にて前記カードリーダを平面に載置した際に、前記スタンドの足部の一部が直線状に上記平面に接触するＩＣカードリーダライタにおいて、
ほぼ直立する板状部材に前記カードリーダを取り付ける場合に、前記ＩＣカードリーダライタは、前記スタンドが突出した状態にて前記スタンド本体部及び前記足部により上記板状部材に係り止めされることを特徴とするＩＣカードリーダライタ。
【請求項５】
請求項４記載のＩＣカードリーダライタにおいて、前記スタンドの回動角度が段階的に調整可能に前記ハウジングに軸支されていることを特徴とするＩＣカードリーダライタ。
【請求項６】
請求項４記載のＩＣカードリーダライタにおいて、前記カード挿入部から上記カードが挿入されたことを検出する検出スイッチと、当該検出スイッチによる検出によって光るＬＥＤと、当該ＬＥＤからの光を導く導光板とを有し、当該導光板は、前記カード挿入部に対して前記ハウジングの底部と反対側のハウジング正面側に光を放出するように設けられていることを特徴とするＩＣカードリーダライタ。
【請求項７】
カードを挿入するカード挿入部と、
挿入された上記カードの記憶内容を読み取る読み取り部と、
前記カード挿入部及び前記読み取り部を収納するハウジングと、
当該ハウジングの底部に収納されたスタンドと、を備え、  
当該スタンドは、前記ハウジングの一端部及び前記カード挿入部の近傍にて、前記ハウジングの底部から突出するように、上記カードの挿入方向とほぼ直行する方向に延びる軸線を中心に回動可能に設けられたカードリーダにおいて、
前記スタンドは、当該スタンド内部に軸支されて回動可能に取り付けられたフック部材を有し、前記スタンド及び前記フック部材を回動させて引き出した際に、前記スタンド及び前記フック部材は、略Ｌ形状を成して停止するように形成されていることを特徴とするカードリーダ。
【請求項８】
請求項７記載のカードリーダにおいて、前記カード挿入部から上記カードが挿入されたことを検出する検出スイッチと、当該検出スイッチによる検出によって光るＬＥＤと、当該ＬＥＤからの光を導く導光板とを有し、当該導光板は、前記カード挿入部に対して前記ハウジングの底部と反対側のハウジング正面側に光を放出するように設けられていることを特徴とするカードリーダ。
【発明の詳細な説明】
【０００１】
【発明の属する技術分野】
本発明はＩＣカード等のＩＣチップに記録された情報の読み取り・書き込みを行うＩＣカードリーダライタに関するものである。
【０００２】
【従来の技術】
企業や個人でもＩＣカードの情報を読み書きするＩＣカードリーダライタをパソコンに接続して使用する用途が増加している。
【０００３】
従来のパソコンに接続して使用するＩＣカードリーダライタ（以後ＰＣＳＣと記す）を図８を用いて説明する。
【０００４】
ＩＣカード１０が挿入されるＰＣＳＣのハウジング１の先端に形成したカード挿入部２と、カード挿入部２に接続するＩＣ接点コネクタ４をプリント基板３上に実装している。また、ＩＣ接点コネクタ４の奥部にＩＣカード１０が所定位置まで入ったことを検出する検出スイッチ４ｂを備えている。
【０００５】
また、検出スイッチ４ｂがＯＮの時の信号でプリント基板３上に実装されたＬＥＤ５が発光し、その光をハウジング１の外部から視認出来るよう導光板６が配置されている。そして、ＩＣカード１０上に設けられたＩＣチップ１０ａとＩＣ接点コネクタ４に装着されているコンタクト４ａが密着して、電気的に接続され情報の授受が行われる。
【０００６】
ＩＣカード１０とＰＣＳＣとの間での情報の授受が終了すると、ＩＣカード１０をハウジング１の外に引き抜く。
【０００７】
また、ＰＣＳＣを机上に設置する場合は図８、図９に示すように、ハウジング１の底面部にゴム脚７が配設してあり、机の上にそのまま置くものやＩＣカード１０が挿入し易いようにカード挿入部２が斜め上方向に向くように、ハウジングの底面部１ｄに針金や樹脂成型品で形成した１本のスタンド９を配設している。
【０００８】
【発明が解決しようとする課題】
前記のような従来のＰＣＳＣでは、営業マンが顧客先を訪問して打ち合わせをする際、持参したノートパソコン１１にＰＣＳＣを接続して、本人の認証を行い会社のデータを引き出したり、打ち合わせ結果を送信する。しかし、机の上には商談用の説明資料や紹介サンプル等が置かれるため、ノートパソコン１１自体も机上に置く場所が無く膝の上に乗せることがある。
【０００９】
このような状況では、従来のＰＣＳＣでは置く場所に困ることが多い。また、机上に置くことができてもケーブル等を含めＰＣＳＣが邪魔になったり、机の端から落としたりすることがある。
【００１０】
【課題を解決するための手段】
上記の課題を解決するため、本発明は、カードを挿入するカード挿入部と、挿入された上記カードの記憶内容を読み取る読み取り部と、上記カード挿入部及び上記読み取り部を収納するハウジングと、当該ハウジングの底部に収納されたスタンドと、を備え、当該スタンドは、上記ハウジングの一端部及び上記カード挿入部の近傍にて、上記ハウジングの底部から突出するように回動可能に設けられ、上記スタンドの端部には、ほぼ上記ハウジングの他端部方向に延びる足部が設けられ、上記スタンドを突出させた状態にて上記カードリーダを平面に載置した際に、上記スタンドの足部の一部が直線状に上記平面に接触するカードリーダにおいて、ほぼ直立する板状部材に上記カードリーダを取り付ける場合に、上記カードリーダは、上記スタンドが突出した状態にて上記スタンド本体部及び上記足部により上記板状部材に係り止めされて構成される。
【００１２】
また、本発明第１のＩＣカードリーダライタは、ＩＣカードを挿入するカード挿入部と、ＩＣカードの接点コネクタを組み込むハウジングと、ハウジングに取付けられたスタンドとを有する。
【００１３】
【発明の実施の形態】
以下、本発明の実施形態について図１から図７を用いて説明する。
【００１４】
図１は本発明の一実施の形態のＰＣＳＣ断面図、図２はそのＰＣＳＣのスタンドを開けた説明図、図３はＰＣＳＣを机上に置いた説明図、図４はＰＣＳＣをノートパソコンの液晶パネルの縁に設置した図、図５はスタンドの形状説明図、図６はノートパソコンの液晶パネルの縁にスタンド幅を合わせた説明図、図７は１本スタンド１３の内部にフック部材１４を配設した説明図である。
【００１５】
図１において、１はＩＣコネクタやプリント基板を組み込むハウジング、２はＩＣカード１０を挿入するカード挿入部、３はプリント基板、４はＩＣ接点コネクタ、６はプリント基板に実装したＬＥＤ５から光をケースの表面まで導く導光板、７はＰＣＳＣが机の上をすべりにくくするゴム脚、スタンド８は図１に示す通り、略Ｌ字状になるように先端部に足部８ａが構成されている。足部８ａはハウシング１の表面または裏面に対して鋭角の角度を有するように向けられハウジング１の挿入部２をやや斜め上方向に向けさせるスタンド８を構成する。また、スタンド８は図２に示す通り、ハウジング１の裏面に観音開きするように取り付けられている。
【００１６】
以上のように構成されたＰＣＳＣについて、内部構成と動作の説明をする。
【００１７】
図１において、ＰＣＳＣのカード挿入部２よりＩＣカード１０を挿入する。ＩＣカード１０は、ＩＣ接点コネクタの最奥部まで挿入されると、ＩＣコネクタ内に設置されたコンタクト４ａとＩＣカード１０上のＩＣチップ１０ａが接触して情報の読み書きを開始する。また、ＩＣカード１０が挿入されたことをＩＣコネクタ内に設置した検出スイッチ４ｂが検出してＬＥＤ５が点灯し、導光板６にて導かれたＬＥＤ５の点滅がハウジング外部から視認できる。通信終了後ＩＣカード１０をＰＣＳＣより引き抜く。
【００１８】
このような動作をするＰＣＳＣを図３に示すように机上に設置するときは、ハウジング１の底面側のカード挿入部２の近傍に配設した一対のスタンド８（通常はハウジングのスタンド収納部１ｃ（凹部）に密着している）を略９０°以上外側に広げて下向きにして机上に置くと、従来のスタンドと同様に、ハウジング１のカード挿入部２がやや斜め上向きになりＩＣカードが入れ易くなる。
【００１９】
また、図４に示す通り、スタンド８を外側に略９０°広げ、ＰＣＳＣのカード挿入口２を上方向に向けると足部８ａをフックとして液晶パネルの縁の上部に引っ掛けるとともに、ハウジング１の底面１ｄとの間に挟むことができる。
【００２０】
また、足部８ａの長さを１０ｍｍ以下にすることで足部８ａが液晶画１２面に入って画面が見づらくなるのを防止する。また、足部８ａの内側にはノートパソコン１１の液晶パネル１２の縁を構成する躯体の塗装を傷つけないよう、また取り付け部の隙間を埋めるためにスポンジのような弾性体（図示せず）を貼り付けてもよい。
【００２１】
また、図５，図６において、１ａはハウジングの裏側に設けた軸受であるが、軸受１ａの一部に少なくとも１ヶ所以上の突起部１ｂを設けている。
【００２２】
また、スタンド８の軸には軸受の突起部１ｂと噛合う縦状のローレット８ｃを施している。そして、突起部１ｂの下部には、回転軸８ｂを押し上げる力Ｆが働くように樹脂の板バネ構造にしている。そして、スタンド８を外側に開くと軸受部の突起１ｂと回転軸８ｂのローレット８ｃが噛合い、突起部１ｂのバネ力により両者間にフリクションが働くため、任意の位置で回転を止めるとスタンド８の開き角度はその位置で保たれる。
【００２３】
そして、ノートパソコン１１の液晶パネル１２の縁の厚さはメーカー各社で異なるが、一対のスタンド８を開ける角度をローレット８ｃの間隔毎に変えることにより挟み幅を変えることができる。
【００２４】
また、スタンド８の軸と軸受間にフリクションを付けているため開けたスタンド８の角度は容易に元に戻らない。このような構成によりスタンド８の足部８ａとハウジング１の底面１ｄとの間隔は、ノートパソコン１１の液晶パネルの縁の寸法がばらばらでも容易に調整することができるため、ＰＣＳＣは即座にガタなく引っかけることができる。また、軸受や回転軸にローレット８ｃがない場合（図示せず）でもフリクションの大きさを増すことで同等の性能を得られる。
【００２５】
また、図７において、スタンド１３の内部にフック部材１４を取り付けている。
【００２６】
１３はスタンドであり内部にフック部材１４が取り付けられるような空間と軸受（図示せず）を形成している。
【００２７】
１４はフック部材であり、両端にスタンド１３の軸受に入る回転軸１４ａを形成している。フック部材１４の両側に設けた回転軸１４ａをスタンド１３の下部に設けてある軸受に組み込むことにより回動する。
【００２８】
回転軸１４ａのまわりにはローレットを入れたり、戻しばねをいれてフック部材がせまい板状体をおさえてもよい。
【００２９】
以上のように本実施の形態によれば、スタンド１３を略９０°外側に起こし、さらにフック部材１４を略９０°開けることによりＰＣＳＣをせまい板状体に引っ掛けるとともにハウジングの底面１ｄとフック部材１３間にＰＣＳＣを挟むことができる。
【００３０】
また、スタンド８やフック部材１４を可動式にしているが、常に板状体の厚さが一定である場合はフック部材１４をハウジング１と一体形成してもよい。
【００３１】
なお、本実施の形態では、ＩＣカードリーダライタを例として説明したが、これに限定されず、通常のカードリーダにも応用できる。
【００３２】
【発明の効果】
以上の説明から明らかなように、本発明のＰＣＳＣは、一対のスタンドを広げて机上に置いたとき、ＩＣカードを略斜め上から挿入することができる。
【００３３】
また本発明のＰＣＳＣは本発明のスタンドを広げて、足部とハウジング間でノートパソコンの液晶パネルの縁の上部に容易に引っかけられるため、ＰＣＳＣは狭い机上に置く必要がなくなるので置き場に困ることがない。
【００３４】
また本発明のＰＣＳＣは本発明のスタンドの回転角度を変えられることにより、メーカーや製品ごとに違うノートパソコンの液晶パネルの縁の厚さに関係なく容易に設置することができる。
【図面の簡単な説明】
【図１】本発明の第１の実施形態のＰＣＳＣの断面図
【図２】本発明の第１の実施形態のスタンドを開けた説明図
【図３】本発明の第１の実施形態のＰＣＳＣを机上に置いた説明図
【図４】本発明の第２の実施形態のＰＣＳＣをノートパソコンに引っ掛けた図
【図５】本発明の第２の実施形態のスタンドの形状説明図
【図６】ノートパソコンの液晶画面の縁の厚さにスタンド幅を合わせた説明図
【図７】１本スタンドの内部にフック部材を配設した説明図
【図８】従来のＰＣＳＣの断面図
【図９】従来のＰＣＳＣのハウジング底面斜視図
【図１０】従来のＰＣＳＣのスタンド使用説明図
【符号の説明】
１    ハウジング
１ａ  ハウジングのスタンド軸受部
１ｂ  ハウジングのスタンド軸受部の突起
１ｃ  ハウジングのスタンド収納部（凹部）
１ｄ  ハウジングの底面
２    カード挿入部
３    プリント基板
４    ＩＣ接点コネクタ
４ａ  ＩＣ接点コネクタのコンタクト
４ｂ  ＩＣ接点コネクタの検出スイッチ
５    ＬＥＤ
６    導光板
７    ゴム脚
８    スタンド
８ａ  足部
８ｂ  スタンドの回転軸
８ｃ  スタンドの軸まわりのローレット
９    従来のスタンド
１０  ＩＣカード
１０ａＩＣチップ
１１  ノートパソコン
１２  液晶パネル
１３  実施の形態４のスタンド
１４  フック部材
Ｆ    軸受部の突起のバネ力
【図１】
0003801107.tif 000002
【図２】
0003801107.tif 000003
【図３】
0003801107.tif 000004
【図４】
0003801107.tif 000005
【図５】
0003801107.tif 000006
【図６】
0003801107.tif 000007
【図７】
0003801107.tif 000008
【図８】
0003801107.tif 000009
【図９】
0003801107.tif 000010
【図１０】
0003801107.tif 000011